(57)【要約】【課題】  異なる電源で動作するレンズ鏡筒とドライブユニット間での通信を、レンズ鏡筒やドライブユニットの動作を不安定にしたり、誤動作を起こすことなく実行可能な撮影装置を提供する。【解決手段】  可動光学部材を含むレンズ装置と、前記レンズ装置からの光を受光するカメラ装置と、前記可動光学部材の駆動を制御するための第１の制御手段と、を備える撮像装置と、前記レンズ装置と接続し、前記光学部材を駆動する駆動部と、該駆動部を制御する第２の制御手段とを有するドライブユニットと、を有する撮影装置は、前記撮像装置と前記ドライブユニットはそれぞれ独立した電源で駆動され、前記第１の制御手段と前記第２の制御手段とは、電気的に非接触で通信する通信手段を介して、制御信号を送受信する。【選択図】  図１
2015094863.tif 000002
【特許請求の範囲】
【請求項１】
可動光学部材を含むレンズ装置と、前記レンズ装置からの光を受光するカメラ装置と、前記可動光学部材の駆動を制御するための第１の制御手段と、を備える撮像装置と、
前記レンズ装置と接続し、前記光学部材を駆動する駆動部と、該駆動部を制御する第２の制御手段とを有するドライブユニットと、
を有する撮影装置であって、
前記撮像装置と前記ドライブユニットはそれぞれ独立した電源で駆動され、
前記第１の制御手段と前記第２の制御手段とは、電気的に非接触で通信する通信手段を介して信号を送受信する、
ことを特徴とする撮影装置。
【請求項２】
前記撮像装置は、前記第１の制御手段が前記ドライブユニットの前記第２の制御手段との接続部を有し、
前記通信手段は前記ドライブユニット内に構成され、該通信手段の一対の通信ユニットの一方は前記撮像装置の前記接続部と接続し、他方は前記第２の制御手段と接続する、
ことを特徴とする請求項１に記載の撮影装置。
【請求項３】
前記ドライブユニットは、前記第２の制御手段が前記撮像装置の前記第１の制御手段との接続部を有し、
前記通信手段は前記撮像装置内に構成され、該通信手段の一対の通信ユニットの一方は前記ドライブユニットの前記接続部と接続し、他方は前記第１の制御手段と接続する、
ことを特徴とする請求項１に記載の撮影装置。
【請求項４】
前記通信手段は、前記撮像装置に構成された第１の通信手段と、前記ドライブユニットに構成された第２の通信手段と、から構成され、前記第１と通信手段と前記第２の通信手段との間で電気的に非接触の通信をする、ことを特徴とする請求項１に記載の撮影装置。
【請求項５】
前記ドライブユニットは、前記可動光学部材の状態を検出する検出手段を有し、
前記第１の制御手段と前記第２の制御手段は、前記通信手段を介して、前記信号として、前記検出手段が検出した状態に基づき生成された情報を通信する、
ことを特徴とする請求項１乃至４のいずれか１項に記載の撮影装置。
【請求項６】
前記第１の制御手段と前記第２の制御手段は、前記通信手段を介して、前記信号として、前記第１の制御手段からの駆動制御信号を通信し、前記第２の制御手段は前記駆動制御信号に基づいて前記可動光学部材を駆動する、
ことを特徴とする請求項１乃至５のいずれか１項に記載の撮影装置。
【請求項７】
前記通信手段はフォトカプラであることを特徴とする請求項２又は３に記載の撮影装置。
【請求項８】
前記通信手段は、受光手段と発光手段で構成されることを特徴とする請求項１乃至６のいずれか１項に記載の撮影装置。
【請求項９】
前記通信手段は、無線通信手段であることを特徴とする請求項１乃至６のいずれか１項に記載の撮影装置。
【発明の詳細な説明】
【技術分野】
【０００１】
本発明は、撮影装置に関し、特に異なる電源で動作するモジュール間の通信を安定して動作させる撮影装置に関するものである。
【背景技術】
【０００２】
従来、カメラ本体に接続するレンズ鏡筒との間には端子が構成され、カメラ本体からレンズ鏡筒への電源供給や、例えばレンズ鏡筒に構成される光学部材の位置情報を伝達することが可能であった。一方、レンズ鏡筒に接続されたドライブユニットには、レンズ鏡筒に構成される光学部材を駆動するモータや位置を検出するセンサが構成され、それらを動作させるための電源を取得する手段を有していた。
【０００３】
例えば、特許文献１では、カメラ本体とレンズ鏡筒の接合部に端子を設け、レンズ鏡筒への電源の供給や、レンズ鏡筒の情報を伝達する技術が開示されている。また、特許文献２では、ドライブユニットに商用電源を接続してレンズ鏡筒に構成される光学部材を駆動する技術が開示されている。
【先行技術文献】
【特許文献】
【０００４】
【特許文献１】特開平９−２５８２９３号公報
【特許文献２】特開２０１１−２５７５４２号公報
【発明の概要】
【発明が解決しようとする課題】
【０００５】
ここで、レンズ鏡筒に位置センサが構成されていない場合、レンズ鏡筒はカメラ本体に位置情報を伝達することができない。一方、レンズ鏡筒に接続可能なドライブユニットには位置センサが構成されているため、レンズ鏡筒に位置センサで取得した情報を伝達することで、レンズ鏡筒はカメラ本体に位置情報を伝達することが可能となる。
【０００６】
しかしながら、レンズ鏡筒とドライブユニットを有線で接続して通信を行うと、異なる電源のＧＮＤ同士を接続することになり、レンズ鏡筒やドライブユニットの動作が不安定になり誤動作を起こすことがある。
【０００７】
そこで、本発明の目的は、異なる電源で動作するレンズ鏡筒とドライブユニット間で通信をする構成を有する撮影装置において、誤動作なく安定して動作することを可能にした撮影装置を提供することである。
【課題を解決するための手段】
【０００８】
本発明の撮影装置は、
可動光学部材を含むレンズ装置と、前記レンズ装置からの光を受光するカメラ装置と、前記可動光学部材の駆動を制御するための第１の制御手段と、を備える撮像装置と、
前記レンズ装置と接続し、前記光学部材を駆動する駆動部と、該駆動部を制御する第２の制御手段とを有するドライブユニットと、
を有する撮影装置であって、
前記撮像装置と前記ドライブユニットはそれぞれ独立した電源で駆動され、前記第１の制御手段と前記第２の制御手段とは、電気的に非接触で通信する通信手段を介して、信号を送受信する、
ことを特徴とする。
【発明の効果】
【０００９】
本発明によれば、異なる電源で動作するレンズ鏡筒とドライブユニット間で通信をする構成において、誤動作なく安定して動作することを可能にした、撮影装置を提供することができる。
【図面の簡単な説明】
【００１０】
【図１】実施例１を示すブロック図
【図２】実施例１のレンズ演算部で行う処理の一例を示すフローチャート
【図３】実施例１の別の構成を示すブロック図
【発明を実施するための形態】
【００１１】
以下に、本発明の撮影装置の好ましい実施の形態を、添付の図面に基づいて詳細に説明する。図１は、本発明の実施形態にかかわるブロック図である。
【実施例１】
【００１２】
以下、図１を参照して、本発明の第１の実施例による、構成を示すブロック図について説明する。
【００１３】
１０はカメラ部、２０はレンズ鏡筒部であり、レンズ鏡筒部２０とレンズからの被写体光を受光するカメラ部１０とを接続することにより、映像を撮影する撮影装置が構成される。
【００１４】
カメラ部１０には、カメラ演算部（制御手段）１２、カメラ電源部１１が構成されている。カメラ電源部１１は、レンズ鏡筒部２０に対し電源を供給することが可能である。
レンズ鏡筒部２０はレンズ演算部（第１の制御手段）２１を有し、レンズ演算部２１は、カメラ電源部１１、及びカメラ演算部１２に接続されている。この構成により、レンズ演算部２１は、カメラ電源部１１から電源の供給を受け、カメラ演算部１２との通信が可能であり、レンズ鏡筒部２０内の不図示のスイッチの状態や光学部材の状態を出力することが可能である。これにより、レンズ演算部２１は、カメラ演算部１２に対しレンズ鏡筒部２０内の情報を伝達することが可能となる。
【００１５】
カメラ部１０とレンズ鏡筒部２０とが接続された構成において、レンズ鏡筒部２０内の光学部材をマニュアル操作する撮像装置として使用することもできる。
【００１６】
レンズ鏡筒部２０にはドライブユニット３０が接続され、可動光学部材を駆動制御する。本発明の撮影装置においては、電気的に非接触な方法で通信する通信手段を介して、撮像装置（カメラ部１０とレンズ鏡筒部２０）とドライブユニット３０との間で、可動光学部材である絞りの駆動制御信号及び位置情報を送受信する。通信手段は、レンズ通信部２２とＤＵ通信部とからなる一対の通信ユニットで構成され、レンズ通信部２２（一対の通信ユニットの一方）は不図示の接続部を介してレンズ鏡筒部２０のレンズ演算部２１と接続し、ＤＵ通信部３２（一対の通信ユニットの他方）はドライブユニット３０のＤＵ演算部（第２の制御手段）３１と接続する。
【００１７】
なお、本ブロック図ではカメラ電源部１１は代表的にレンズ演算部２１に接続されているが、ドライブユニット３０とレンズ鏡筒部２０とが接続されると、不図示の接続部を介してレンズ演算部２１と接続されているレンズ通信部２２に対しても電源の供給を行う。これにより、ドライブユニット内でＤＵ電源部３５から独立しているレンズ通信部２２に電力が供給され、ＤＵ通信部３２との間での非接触通信を可能とする。
【００１８】
レンズ鏡筒部２０は、駆動可能な光学部材である絞り部２３を有し、カメラ部１０で撮影する映像の明るさを調整することを可能とする。なお本実施例においては、電源駆動可能な対象を絞り部２３として説明するが、電源駆動する対象を、焦点調整を行うフォーカス部や、焦点距離の調整を行うズーム部としても同様の効果を得ることが可能である。
【００１９】
ドライブユニット３０は、ＤＵ演算部３１、駆動部３３、位置検出部３４が構成されている。駆動部３３は絞り部２３を駆動する。位置検出部３４は絞り部２３の位置を検出する。ＤＵ演算部３１は駆動部３３、及び位置検出部３４に接続されており、絞り部２３の駆動制御や位置情報を取得する。
【００２０】
ドライブユニット３０は、ＤＵ通信部３２を有し、ＤＵ通信部３２はＤＵ演算部３１に接続されている。ＤＵ通信部３２はレンズ通信部２２とともに通信部を構成し、レンズ演算部２１とＤＵ演算部との間で非接触の通信を行う。ここで非接触の通信とは、無線通信や、受光手段と発光手段を含む光通信等であり、電気的に互いに独立している通信を指す。また本実施例では、レンズ通信部２２とＤＵ通信部３２を別体の構成として示しているが、これらがパッケージ化された１つの部品、例えばフォトカプラ等を用いても良い。
【００２１】
ドライブユニット３０には電源部３５が構成されている。電源部３５は不図示の外部の電源に接続することにより、ドライブユニット３０に電源の供給を行うことが可能である。本ブロック図では模式的にＤＵ演算部３１に接続している図で表しているが、ＤＵ演算部３１と接続されているＤＵ通信部３２、駆動部３３、位置検出部３４に対しても電源の供給を行う。ドライブユニット３０で可動光学部材を駆動するために必要となる電力は、カメラ部１０及びレンズ鏡筒部２０で必要な電力に対して大きい。大キなイメージサイズで撮影するシネマ撮影のような場合には、駆動対象である光学部材も大きくなるため、可動光学部材を駆動するために必要となる電力は、特に大きくなる。従って、大電力を必要とするドライブユニット３０に、カメラ部１０側から電源を供給すると、カメラ部１０側の電源を不安定にし、撮像の制御に影響を与える可能性があるが、本発明では、カメラ部１０の電源とドライブユニット３０の電源を分離して持つことで、安定した動作を担保することができる。
【００２２】
このように構成することで、レンズ演算部２１は、レンズ鏡筒部に構成される絞り部２３の位置情報をＤＵ通信部３２、レンズ通信部２２を介して取得し、カメラ演算部１２に伝達することが可能となる。また、ドライブユニット３０に構成されるレンズ通信部２２とＤＵ通信部３２の電源を別にすることが可能となるため、有線での接続した場合に発生する誤動作を防止することが可能となる。
【００２３】
以下、図２のフローチャートを参照して、レンズ演算部２１で行うカメラ演算部１２との通信開始処理の一例に関して説明する。
【００２４】
この処理は、レンズ演算部２１に格納されたコンピュータプログラムに従って行われる。またカメラ演算部１２との通信開始処理開始時に、ステップＳ１００の通信開始処理が開始され、ステップＳ１０１に進む。
【００２５】
ステップＳ１０１では、レンズ通信部２２を介したＤＵ通信部３２との通信が確立したか否かを判断する。通信が確立した場合はステップＳ１０２に進み、通信が確立していない場合はステップＳ１０１に戻る。
ステップＳ１０２では、カメラ演算部１２との通信を開始する。
【００２６】
ＤＵ電源部３５に電源が接続されない状態では、レンズ通信部２２はＤＵ通信部３２との通信は切断されている。このような状態では、レンズ演算部２１はカメラ演算部１２に対し、正確な絞り部２３の位置情報をカメラ演算部１２に伝達することができない。このような時、図２に示すフローチャートのように動作することで、ＤＵ電源部３５に電源が接続されない状態では、カメラ演算部１２との通信を切断することが可能となる。そのため、誤った位置情報をカメラ演算部１２に伝達することがなくなる。
【００２７】
以上のように構成することで、異なる電源で動作するレンズ鏡筒とドライブユニット間で通信をする構成において、誤動作なく安定して動作することが可能となる。
【００２８】
なお本実施例ではレンズ通信部２２とＤＵ通信部３２をドライブユニット３０に構成したが、双方をレンズ鏡筒部２０内（撮像装置内）に構成しても良い。又は、図３に示すようにレンズ通信部２２のみをレンズ鏡筒部２０内に構成し、ドライブユニット３０とレンズ鏡筒部２０とが接続された時に、レンズ鏡筒部２０内のレンズ通信部とドライブユニット内のＤＵ通信部とで無線通信をする構成としても、同様の効果を得ることが可能である。
【００２９】
カメラ部１０（撮像装置内）に無線通信可能なカメラ通信部を構成し、ドライブユニット３０のＤＵ通信部３２はカメラ通信部と無線通信するように構成してもよい。また、ドライブユニット３０内に、ＤＵ通信部３２と無線通信可能なカメラ通信部を構成し、カメラ通信部はカメラ部１０と有線接続可能な構成であり、カメラ部１０（撮像装置内）から電源の供給を受けるとともにＤＵ通信部から受信した制御信号をカメラ演算部１２に出力することが可能な構成としてもよい。
【００３０】
このような構成を有する撮影装置により、異なる電源で作動するレンズ鏡筒、ドライブユニット間で通信する構成において、誤動作なく安定して動作することを可能ならしめる撮影装置を供給することができる。
【００３１】
以上、本発明の好ましい実施形態について説明したが、本発明はこれらの実施形態に限定されず、その要旨の範囲内で種々の変形及び変更が可能である。
【符号の説明】
【００３２】
１０  カメラ部（カメラ装置）
１１  カメラ電源部
１２  カメラ演算部（制御手段）
２０  レンズ鏡筒部
２１  レンズ演算部（第１の制御手段）
２２  レンズ通信部
３０  ドライブユニット
３１  ＤＵ演算部（第２の制御手段）
３２  ＤＵ通信部
３５  ＤＵ電源部
【図１】
2015094863.tif 000003
【図２】
2015094863.tif 000004
【図３】
2015094863.tif 000005